(57)【要約】      （修正有）【課題】動作エリアにものが落ちることを防止でき、良好な保護効果を実現する建材デバイスの保護装置を提供する。【解決手段】横方向調節ロッド１および支持調節ロッド２を含む建材デバイスの保護装置であって、横方向調節ロッド１は両組設けられ、かつ両組の横方向調節ロッド１は平行的に設置されており、両組の横方向調節ロッド１の間に保護ネット６が接続され、保護ネット６は保護ネット接続子によって横方向調節ロッド１の側壁に滑動可能に接続されており、各組の横方向調節ロッド１の両端にそれぞれ支持調節ロッド２が接続され、支持調節ロッド２と横方向調節ロッド１が垂直的に設置されており、支持調節ロッド２の底端に固定フレーム５が取付けられ、固定フレーム５内に押出部材が設けられている。【選択図】図１
0003233725.tif 000002
【実用新案登録請求の範囲】
【請求項１】
横方向調節ロッド（１）および支持調節ロッド（２）を含む建材デバイスの保護装置であ
って、前記横方向調節ロッド（１）は両組設けられ、かつ両組の横方向調節ロッド（１）
は平行的に設置されており、両組の横方向調節ロッド（１）の間に保護ネット（６）が接
続され、前記保護ネット（６）は保護ネット接続子（１４）によって横方向調節ロッド（
１）の側壁に滑動可能に接続されており、各組の横方向調節ロッド（１）の両端にそれぞ
れ支持調節ロッド（２）が接続され、前記支持調節ロッド（２）と横方向調節ロッド（１
）が垂直的に設置されており、前記支持調節ロッド（２）の底端に固定フレーム（５）が
取付けられ、前記固定フレーム（５）内に押出部材が設けられていることを特徴とする前
記建材デバイスの保護装置。
【請求項２】
前記横方向調節ロッド（１）は横方向挿設プレート（７）、横方向挿設溝（８）および横
方向挿設柱（９）を含み、前記横方向挿設柱（９）に横方向挿設溝（８）が開設され、か
つ横方向挿設溝（８）と横方向挿設プレート（７）の寸法が一致しており、前記横方向挿
設プレート（７）は横方向挿設溝（８）内に挿設されていることを特徴とする請求項１に
記載の建材デバイスの保護装置。  
【請求項３】
前記支持調節ロッド（２）は縦方向挿設棒（１０）および縦方向挿設柱（１１）を含み、
前記縦方向挿設柱（１１）の頂端に所定深度の挿溝が開設され、前記縦方向挿設棒（１０
）は挿溝内に挿設され、かつ縦方向挿設棒（１０）および縦方向挿設柱（１１）に貫通穴
が設けられ、前記縦方向挿設棒（１０）と縦方向挿設柱（１１）の間は接続ボルト（３）
によって位置決めされ、かつ接続ボルト（３）は縦方向挿設棒（１０）および縦方向挿設
柱（１１）の貫通穴に貫通しており、前記縦方向挿設棒（１０）の頂端は横方向調節ロッ
ド（１）に接続され、前記縦方向挿設柱（１１）の底端は固定フレーム（５）に接続され
ていることを特徴とする請求項１に記載の建材デバイスの保護装置。
【請求項４】
前記押出部材は主に底板（４）、頂板（１２）および接続ネジロッド（１３）からなり、
前記底板（４）と頂板（１２）が上下平行に設置され、かつ接続ネジロッド（１３）は底
板（４）と頂板（１２）の間に接続され、前記接続ネジロッド（１３）は固定フレーム（
５）のネジ穴を貫通しており、前記底板（４）は固定フレーム（５）内に配置されている
ことを特徴とする請求項１に記載の建材デバイスの保護装置。
【請求項５】
前記底板（４）と頂板（１２）内に金属板（１８）が設けられ、前記接続ネジロッド（１
３）は中空構成とし、かつ接続ネジロッド（１３）の中空チャンバーと底板（４）および
頂板（１２）との接触位置に電磁石（１９）が設けられていることを特徴とする請求項４
に記載の建材デバイスの保護装置。
【請求項６】
前記保護ネット接続子（１４）は滑動棒（１５）および接続リング（１６）を含むことを
特徴とする請求項１に記載の建材デバイスの保護装置。
【請求項７】
前記接続リング（１６）は滑動棒（１５）に架設され、かつ接続リング（１６）は保護ネ
ット（６）を通過していることを特徴とする請求項６に記載の建材デバイスの保護装置。
【請求項８】
前記横方向調節ロッド（１）に滑動棒（１５）に係合する滑動開放溝（１７）が設けられ
、前記滑動棒（１５）は滑動開放溝（１７）内に滑動可能に接続され、かつ滑動開放溝（
１７）は横方向挿設プレート（７）と横方向挿設柱（９）内に設置されていることを特徴
とする請求項７に記載の建材デバイスの保護装置。
【請求項９】
両組の電磁石（１９）の間に蓄電池（２０）が電気接続され、前記接続ネジロッド（１３
）の表面にスイッチ（２１）が設けられていることを特徴とする請求項５に記載の建材デ
バイスの保護装置。
【請求項９】
前記スイッチ（２１）と電磁石（１９）および蓄電池（２０）とが電気接続されているこ
とを特徴とする請求項９に記載の建材デバイスの保護装置。
【考案の詳細な説明】
【技術の分野】
【０００１】
本実用新案は建材加工の関連技術分野に関するもので、具体的には建材デバイスの保護
装置に関する。
【従来の技術】
【０００２】
建材は、土木工事と建築工事にそれぞれ使われる材料の総称であり、構造材料、装飾材料
、特定の専用材料などに分けられる。構造材料は、木材、竹、石材、セメント、コンクリ
ート、金属、煉瓦、セラミック、ガラス、エンジニアリングプラスチック、複合材料など
を含む。装飾材料は各種類の塗料、ペンキ、めっき層、装飾面、各色のタイル、特殊効果
をもつガラスなどを含む。専用の材料は防水、防湿、防腐、防火、難燃、防音、断熱、保
温、密封などに適用するものをいう。
【０００３】
加工および以降の使用過程において建築材料を加工するデバイスは様々ある。その中、木
や竹を切断するものがもっとも使われている。従来ではこのよう切断用の建材デバイス上
で保護措置がない。それに加えて、加工際の環境が複雑で、切断のエリアに時々物落とし
が発生する。したがって、従来のデバイスは切断が影響を及ぼされ、ひいてはデバイスを
損壊するおそれがあるという欠点を有する。これに対して本願は建材デバイスの保護装置
を提出する。
【考案の概要】
【０００４】
本実用新案の目的は、背景の技術に記載のように、加工および以降の使用過程において建
築材料を加工するデバイスは様々あり、その中、木や竹を切断するものがもっとも使われ
ているが、従来のこのような切断用の建材デバイス上で保護措置がなく、それに加えて、
加工際の環境が複雑で、切断のエリアに時々物落としが発生するので、従来のデバイスは
切断が影響を及ぼされ、ひいてはデバイスを損壊するおそれがある、という欠点を克服で
きる建材デバイスの保護装置を提供することにある。
【０００５】
上記の目的を実現するために、本実用新案は、下記の建材デバイスの保護装置を提供する
。該建材デバイスの保護装置は、横方向調節ロッドおよび支持調節ロッドを含む建材デバ
イスの保護装置であって、前記横方向調節ロッドは両組設けられ、かつ両組の横方向調節
ロッドは平行的に設置されており、両組の横方向調節ロッドの間に保護ネットが接続され
、前記保護ネットは保護ネット接続子によって横方向調節ロッドの側壁に滑動可能に接続
されており、各組の横方向調節ロッドの両端にそれぞれ支持調節ロッドが接続され、前記
支持調節ロッドと横方向調節ロッドが垂直的に設置されており、前記支持調節ロッドの底
端に固定フレームが取付けられ、前記固定フレーム内に押出部材が設けられている。
【０００６】
好ましくは、前記横方向調節ロッドは横方向挿設プレート、横方向挿設溝および横方向挿
設柱を含み、前記横方向挿設柱に横方向挿設溝が開設され、かつ横方向挿設溝と横方向挿
設プレートの寸法が一致しており、前記横方向挿設プレートは横方向挿設溝内に挿設され
ている。建材デバイスの幅度によって横方向挿設プレートの横方向挿設柱への挿入長度を
調節することができる。長く調節する場合は、横方向挿設プレートを外へ引き出すことに
より、横方向調節ロッドの長度を増加することができる。
【０００７】
好ましくは、前記支持調節ロッドは縦方向挿設棒および縦方向挿設柱を含み、前記縦方向
挿設柱の頂端に所定深度の挿溝が開設され、前記縦方向挿設棒は挿溝内に挿設され、かつ
縦方向挿設棒および縦方向挿設柱に貫通穴が設けられ、前記縦方向挿設棒と縦方向挿設柱
の間は接続ボルトによって位置決めされ、かつ接続ボルトは縦方向挿設棒および縦方向挿
設柱の貫通穴に貫通しており、前記縦方向挿設棒の頂端は横方向調節ロッドに接続され、
前記縦方向挿設柱の底端は固定フレームに接続されている。実際によって支持調節ロッド
の縦方向挿設棒引き上げたり押し下げたりすると、支持調節ロッドを高く、または低く調
節するようにできる。
【０００８】
好ましくは、前記押出部材は主に底板、頂板および接続ネジロッドからなり、前記底板と
頂板が上下平行に設置され、かつ接続ネジロッドは底板と頂板の間に接続され、前記接続
ネジロッドは固定フレームのネジ穴を貫通しており、前記底板は固定フレーム内に配置さ
れている。底板、頂板および接続ネジロッドによって押出部材を構成して、押出部材によ
って押出固定を実行することができる。
【０００９】
好ましくは、前記底板と頂板内に金属板が設けられ、前記接続ネジロッドは中空構成とし
、かつ接続ネジロッドの中空チャンバーと底板および頂板との接触位置に電磁石が設けら
れている。電磁石によって底板および頂板に磁気を具備させて、固定の効果をもたらす。
【００１０】
好ましくは、前記保護ネット接続子は滑動棒および接続リングを含み、実際によって滑動
棒を滑動させて、保護ネットを展開または収縮する効果をもたらす。
【００１１】
好ましくは、前記接続リングは滑動棒に架設され、かつ接続リングは保護ネットを通過し
ている。
【００１２】
好ましくは、前記横方向調節ロッドに滑動棒に係合する滑動開放溝が設けられ、前記滑動
棒は滑動開放溝内に滑動可能に接続され、かつ滑動開放溝は横方向挿設プレートと横方向
挿設柱内に設置されている。
【００１３】
好ましくは、両組電磁石の間に蓄電池が電気接続されており、前記接続ネジロッドの表面
にスイッチが設けられている。
【００１４】
好ましくは、前記スイッチと電磁石、および蓄電池とが電気接続されている。
【００１５】
従来の技術と比べて、本実用新案の有益な効果は以下の通りである。
（１）本実用新案では、両組の横方向調節ロッドを設けて、各組の横方向調節ロッドの両
端に支持調節ロッドを接続するとともに、両組の横方向調節ロッドの間に保護ネットを設
置して、そしてこのような保護装置を建材デバイスの動作エリアの上方に組立ててる。こ
のようにして動作エリアにものが落ちることを防止でき、良好な保護効果を実現する。
【００１６】
（２）本実用新案では、横方向調節ロッドは横方向挿設プレートを横方向挿設柱の横方向
挿設溝内に挿設して構成される。支持調節ロッドは縦方向挿設棒を縦方向挿設柱内に挿設
して構成される。横方向調節ロッドおよび支持調節ロッドの長度は実際によって調節可能
である。これによって各幅度の建材デバイスに適用可能で、フレクシビリティを向上する
。
【００１７】
（３）本実用新案では、支持調節ロッドの底端に固定フレームを設置して、また固定フレ
ーム内に底板、頂板および接続ネジロッドからなる押出部材を設置して、接続ネジロッド
内に磁気を発生する電磁石を設置するとともに、底板と頂板内に電磁石に接触する金属板
を設けている。これによって本装置の組立ては２種類を含むことができる。一つは、固定
フレームの開口を建材デバイスの側縁枠に配置して、押出部材を回動させて、押出部材の
底板を建材デバイスの側縁枠に接触する位置に上移させることによって、建材デバイスの
側縁枠を押出して、固定の効果をもたらすとともに、押出部材内の電磁石に電気投入する
と、底板上の金属板に着磁して、底板を建材デバイスの側縁枠に吸付させて、固定補強の
効果をもたらす。もう一つは、そのまま押出部材の頂板を建材デバイスの側縁枠の上面に
置いて、磁気によって吸付固定を実行する。
【図面の簡単な説明】
【００１８】
【図１】本実用新案の側面図。
【図２】本実用新案の正面図。
【図３】本実用新案の上面図。
【図４】本実用新案の押出部材構成模式図。
【図５】本実用新案の図１におけるＡ部の構成模式図。
【考案を実施するための形態】
【００１９】
以下、本実用新案の実施例および附図を利用して、本実用新案実施例中における技術案を
さらに明確的に、十分的に説明する。
【００２０】
図１〜５に示されるように、本実用新案は建材デバイスの保護装置を提供する。該建材デ
バイスの保護装置は、横方向調節ロッド１および支持調節ロッド２を含む建材デバイスの
保護装置であって、前記横方向調節ロッド１は両組設けられ、かつ両組の横方向調節ロッ
ド１は平行的に設置されており、両組の横方向調節ロッド１の間に保護ネット６が接続さ
れ、前記保護ネット６は保護ネット接続子１４によって横方向調節ロッド１の側壁に滑動
可能に接続されており、各組の横方向調節ロッド１の両端にそれぞれ支持調節ロッド２が
接続され、前記支持調節ロッド２と横方向調節ロッド１が垂直的に設置されており、前記
支持調節ロッド２の底端に固定フレーム５が取付けられ、前記固定フレーム５内に押出部
材が設けられている。
【００２１】
前記横方向調節ロッド１は横方向挿設プレート７、横方向挿設溝８および横方向挿設柱９
を含み、前記横方向挿設柱９に横方向挿設溝８が開設され、かつ横方向挿設溝８と横方向
挿設プレート７の寸法が一致しており、前記横方向挿設プレート７は横方向挿設溝８内に
挿設されている。建材デバイスの幅度によって横方向挿設プレート７の横方向挿設柱９へ
の挿入長度を調節することができる。長く調節する場合は、横方向挿設プレート７を外へ
引き出すことにより、横方向調節ロッド１の長度を増加すればよい。  
【００２２】
前記支持調節ロッド２は縦方向挿設棒１０および縦方向挿設柱１１を含み、前記縦方向挿
設柱１１の頂端に所定深度の挿溝が開設され、前記縦方向挿設棒１０は挿溝内に挿設され
、かつ縦方向挿設棒１０および縦方向挿設柱１１に貫通穴が設けられ、前記縦方向挿設棒
１０と縦方向挿設柱１１の間は接続ボルト３によって位置決めされ、かつ接続ボルト３は
縦方向挿設棒１０および縦方向挿設柱１１の貫通穴に貫通しており、前記縦方向挿設棒１
０の頂端は横方向調節ロッド１に接続され、前記縦方向挿設柱１１の底端は固定フレーム
５に接続されている。実際によって支持調節ロッド２の縦方向挿設棒１０引き上げたり押
し下げたりすると、支持調節ロッド２を高く、または低く調節するようにできる。
【００２３】
前記押出部材は主に底板４、頂板１２および接続ネジロッド１３からなり、前記底板４と
頂板１２が上下平行に設置され、かつ接続ネジロッド１３は底板４と頂板１２の間に接続
され、前記接続ネジロッド１３は固定フレーム５のネジ穴を貫通しており、前記底板４は
固定フレーム５内に配置されている。前記底板４と頂板１２内に金属板１８が設けられ、
前記接続ネジロッド１３は中空構成とし、かつ接続ネジロッド１３の中空チャンバーと底
板４および頂板１２との接触位置に電磁石１９が設けられている。電磁石１９によって底
板４および頂板１２に磁気を具備させて、固定の効果をもたらす。
【００２４】
前記保護ネット接続子１４は滑動棒１５および接続リング１６を含み、前記接続リング１
６は滑動棒１５に架設され、かつ接続リング１６は保護ネット６を通過しており、前記横
方向調節ロッド１に滑動棒１５に係合する滑動開放溝１７が設けられ、前記滑動棒１５は
滑動開放溝１７内に滑動可能に接続され、かつ滑動開放溝１７は横方向挿設プレート７と
横方向挿設柱９内に設置されている。滑動棒１５が横方向挿設プレート７および横方向挿
設柱９の滑動開放溝１７内に滑動可能に接続されるので、実際によって滑動棒１５を滑動
させて、保護ネット６を展開または収縮する効果をもたらす。
【００２５】
両組電磁石１９の間に蓄電池２０が電気接続され、前記接続ネジロッド１３の表面にスイ
ッチ２１が設けられている。
【００２６】
前記スイッチ２１と電磁石１９および蓄電池２０とが電気接続され、スイッチ２１によっ
て電源の投入および遮蔽を制御する。
【００２７】
特筆すべきのは、建材デバイスの保護装置の作動に際しては、横方向調節ロッド１は横方
向挿設プレート７を横方向挿設柱９の横方向挿設溝８内に挿設して構成され、支持調節ロ
ッド２は縦方向挿設棒１０を縦方向挿設柱１１内に挿設して構成されるので、横方向調節
ロッド１と支持調節ロッド２の長度は実際によって調節可能である。その使用際において
、建材デバイスの幅度によって横方向挿設プレート７の横方向挿設柱９への挿入長度を調
節することができる。長く調節する場合、横方向挿設プレート７を外側へ引き出して、横
方向調節ロッド１の長度を増加することができる。また実際によって、支持調節ロッド２
の縦方向挿設棒１０を引き上げたり押し下げたりすると、支持調節ロッド２を高く、また
は低く調節するようにできる。この調節作業が終わると、固定フレーム５の開口を建材デ
バイスの側縁枠に置いて、押出部材を回動させて、押出部材の底板４を建材デバイスの側
縁枠に接触する位置に上移させる。これにより建材デバイスの側縁枠を押出して、固定の
効果をもたらす。また、押出部材内の電磁石１９に電気投入してもよい。これによって、
底板４上の金属板１８は着磁され、建材デバイスの側縁枠に吸付可能であり、固定補強の
効果をもたらす。また代わりに、そのまま押出部材の頂板１２を建材デバイスの側縁枠上
面に置いて、磁気によって吸付固定してもよい。これによって組立ての形態は、２種類を
含むことができ、フレクシビリティを向上する。両組の横方向調節ロッド１の間に保護ネ
ット６が滑動可能に設置されるので、横方向挿設プレート７が完全に横方向挿設柱９の横
方向挿設溝８内に挿設していると、保護ネット６全体は皺状を呈するようになる。横方向
挿設プレート７と横方向挿設柱９の間は最大長に引き伸ばされると、保護ネット６全体は
平坦状になっている。それから、保護ネット６を建材デバイス動作の上方に覆うと、動作
エリアにおける物落とし不都合を効果的に防止でき、良好な保護効果をもたらす。
【００２８】
本実用新案の実施例を例示、記載したが、普通技術者は本考案の原理と精神の範疇内にお
いて、各種の変形及び修正、置換、変形を行うことができる。本実用新案の保護範囲は、
実用新案登録請求の範囲及びその均等物である。
【符号の説明】
【００２９】
１  横方向調節ロッド
２  支持調節ロッド
３  接続ボルト
４  底板
５  固定フレーム
６  保護ネット
７  横方向挿設プレート
８  横方向挿設溝
９  横方向挿設柱
１０  縦方向挿設棒
１１  縦方向挿設柱
１２  頂板
１３  接続ネジロッド
１４  保護ネット接続子
１５  滑動棒
１６  接続リング
１７  滑動開放溝
１８  金属板
１９  電磁石
２０  蓄電池
２１  スイッチ
【図１】
0003233725.tif 000003
【図２】
0003233725.tif 000004
【図３】
0003233725.tif 000005
【図４】
0003233725.tif 000006
【図５】
0003233725.tif 000007
【手続補正書】
【提出日】令和3年7月6日(2021.7.6)
【手続補正１】
【補正対象書類名】実用新案登録請求の範囲
【補正対象項目名】全文
【補正方法】変更
【補正の内容】
【実用新案登録請求の範囲】
【請求項１】
横方向調節ロッド（１）および支持調節ロッド（２）を含む建材デバイスの保護装置であ
って、前記横方向調節ロッド（１）は両組設けられ、かつ両組の横方向調節ロッド（１）
は平行的に設置されており、両組の横方向調節ロッド（１）の間に保護ネット（６）が接
続され、前記保護ネット（６）は保護ネット接続子（１４）によって横方向調節ロッド（
１）の側壁に滑動可能に接続されており、各組の横方向調節ロッド（１）の両端にそれぞ
れ支持調節ロッド（２）が接続され、前記支持調節ロッド（２）と横方向調節ロッド（１
）が垂直的に設置されており、前記支持調節ロッド（２）の底端に固定フレーム（５）が
取付けられ、前記固定フレーム（５）内に押出部材が設けられていることを特徴とする前
記建材デバイスの保護装置。
【請求項２】
前記横方向調節ロッド（１）は横方向挿設プレート（７）、横方向挿設溝（８）および横
方向挿設柱（９）を含み、前記横方向挿設柱（９）に横方向挿設溝（８）が開設され、か
つ横方向挿設溝（８）と横方向挿設プレート（７）の寸法が一致しており、前記横方向挿
設プレート（７）は横方向挿設溝（８）内に挿設されていることを特徴とする請求項１に
記載の建材デバイスの保護装置。  
【請求項３】
前記支持調節ロッド（２）は縦方向挿設棒（１０）および縦方向挿設柱（１１）を含み、
前記縦方向挿設柱（１１）の頂端に所定深度の挿溝が開設され、前記縦方向挿設棒（１０
）は挿溝内に挿設され、かつ縦方向挿設棒（１０）および縦方向挿設柱（１１）に貫通穴
が設けられ、前記縦方向挿設棒（１０）と縦方向挿設柱（１１）の間は接続ボルト（３）
によって位置決めされ、かつ接続ボルト（３）は縦方向挿設棒（１０）および縦方向挿設
柱（１１）の貫通穴に貫通しており、前記縦方向挿設棒（１０）の頂端は横方向調節ロッ
ド（１）に接続され、前記縦方向挿設柱（１１）の底端は固定フレーム（５）に接続され
ていることを特徴とする請求項１に記載の建材デバイスの保護装置。
【請求項４】
前記押出部材は主に底板（４）、頂板（１２）および接続ネジロッド（１３）からなり、
前記底板（４）と頂板（１２）が上下平行に設置され、かつ接続ネジロッド（１３）は底
板（４）と頂板（１２）の間に接続され、前記接続ネジロッド（１３）は固定フレーム（
５）のネジ穴を貫通しており、前記底板（４）は固定フレーム（５）内に配置されている
ことを特徴とする請求項１に記載の建材デバイスの保護装置。
【請求項５】
前記底板（４）と頂板（１２）内に金属板（１８）が設けられ、前記接続ネジロッド（１
３）は中空構成とし、かつ接続ネジロッド（１３）の中空チャンバーと底板（４）および
頂板（１２）との接触位置に電磁石（１９）が設けられていることを特徴とする請求項４
に記載の建材デバイスの保護装置。
【請求項６】
前記保護ネット接続子（１４）は滑動棒（１５）および接続リング（１６）を含むことを
特徴とする請求項１に記載の建材デバイスの保護装置。
【請求項７】
前記接続リング（１６）は滑動棒（１５）に架設され、かつ接続リング（１６）は保護ネ
ット（６）を通過していることを特徴とする請求項６に記載の建材デバイスの保護装置。
【請求項８】
前記横方向調節ロッド（１）に滑動棒（１５）に係合する滑動開放溝（１７）が設けられ
、前記滑動棒（１５）は滑動開放溝（１７）内に滑動可能に接続され、かつ滑動開放溝（
１７）は横方向挿設プレート（７）と横方向挿設柱（９）内に設置されていることを特徴
とする請求項７に記載の建材デバイスの保護装置。
【請求項９】
両組の電磁石（１９）の間に蓄電池（２０）が電気接続され、前記接続ネジロッド（１３
）の表面にスイッチ（２１）が設けられていることを特徴とする請求項５に記載の建材デ
バイスの保護装置。
【請求項１０】
前記スイッチ（２１）と電磁石（１９）および蓄電池（２０）とが電気接続されているこ
とを特徴とする請求項９に記載の建材デバイスの保護装置。